(57)【特許請求の範囲】
【請求項１】
セルラー通信システムにおいてユーザ装置にユーザ装置固有情報を伝送する基地局装置であって、
合成ユーザ装置固有情報を生成するため、複数のユーザ装置に対するユーザ装置固有情報を合成する合成手段と、
前記合成ユーザ装置固有情報を符号化する物理レイヤ符号化手段と、
前記合成ユーザ装置固有情報を最小物理チャネル伝送ユニットで伝送する伝送手段と、
前記合成ユーザ装置固有情報を前記複数のユーザ装置に伝送するのに１つの前記最小物理チャネル伝送ユニットで十分であるか否かを判断する判断手段と、
を備え、
前記物理レイヤ符号化手段は、前記複数のユーザ装置についての前記合成ユーザ装置固有情報を順方向誤り訂正コードにより符号化し、
前記伝送手段は、前記合成ユーザ装置固有情報を前記複数のユーザ装置に伝送するのに１つの前記最小物理チャネル伝送ユニットでは十分でないと前記判断手段が判断した場合、前記物理レイヤ符号化手段により符号化された前記合成ユーザ装置固有情報を、複数の前記最小物理チャネル伝送ユニットを用いて伝送する、基地局装置。
【請求項２】
前記合成ユーザ装置固有情報は、最小物理チャネル伝送ユニットであるタイムスロットで伝送される、請求項１記載の基地局装置。
【請求項３】
前記合成ユーザ装置固有情報は、単一の時間周波数リソース割当て単位で伝送される、請求項１記載の基地局装置。
【請求項４】
前記物理レイヤ符号化手段は、前記複数のユーザ装置の少なくとも２つに対するユーザ装置固有情報を結合的に符号化するよう動作可能である、請求項１乃至３何れか一項記載の基地局装置。
【請求項５】
前記物理レイヤ符号化手段は、前記複数のユーザ装置のすべてのユーザ装置に係るユーザ装置固有情報を結合的に符号化するよう動作可能である、請求項４記載の基地局装置。
【請求項６】
前記物理レイヤ符号化手段は、順方向誤り訂正コードとして、１/３レート畳み込み符号または１/３レートターボ符号を利用する、請求項４又は５記載の基地局装置。
【請求項７】
前記ユーザ装置固有情報は、各々がいくつかの可能な値を有する複数のパラメータを有し、
前記物理レイヤ符号化手段は、前記複数のパラメータの可能な値の個数の積に等しいいくつかの合成された可能な値を有する合成されたパラメータを符号化することによって、前記複数のパラメータを符号化するよう動作可能である、請求項４乃至６何れか一項記載の基地局装置。
【請求項８】
前記ユーザ装置固有情報は、アップリンクパワー制御情報を有する、請求項１乃至７何れか一項記載の基地局装置。
【請求項９】
前記ユーザ装置固有情報は、同期情報を有する、請求項１乃至８何れか一項記載の基地局装置。
【請求項１０】
前記ユーザ装置固有情報は、同期情報のみを有する、請求項１乃至９何れか一項記載の基地局装置。
【請求項１１】
前記ユーザ装置固有情報は、前記複数のユーザ装置のそれぞれからのアップリンクチャネルに係る、請求項１乃至１０何れか一項記載の基地局装置。
【請求項１２】
前記複数のユーザ装置の伝送パワー要求に応答して、前記合成ユーザ装置固有情報に対する伝送パワーを設定する手段をさらに有する、請求項１乃至１１何れか一項記載の基地局装置。
【請求項１３】
第１ユーザ装置に対するユーザ装置固有情報の位置を示す位置情報を伝送する手段をさらに有する、請求項１乃至１２何れか一項記載の基地局装置。
【請求項１４】
前記ユーザ装置固有情報は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスに係る制御情報である、請求項１乃至１３何れか一項記載の基地局装置。
【請求項１５】
前記ユーザ装置固有情報は、前記ＨＳＤＰＡダウンリンクパケットデータサービスのアップリンクＤＰＣＨ（Ｄｅｄｉｃａｔｅｄ  Ｐｈｙｓｉｃａｌ  ＣＨａｎｎｅｌ）に係る、請求項１４記載の基地局装置。
【請求項１６】
前記物理レイヤ符号化手段は、複数のサービスにより使用されるアルゴリズム群の処理アルゴリズムを利用することによって、前記合成されたユーザ装置固有情報を符号化するよう動作可能である、請求項１乃至１５何れか一項記載の基地局装置。
【請求項１７】
前記セルラー通信システムは、ＴＤＤ（Ｔｉｍｅ  Ｄｉｖｉｓｉｏｎ  Ｄｕｐｌｅｘ）セルラー通信システムである、請求項１乃至１６何れか一項記載の基地局装置。
【請求項１８】
前記セルラー通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）により指定されるＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）  Ｔｅｒｒｅｓｔｒｉａｌ  Ｒａｄｉｏ  Ａｃｃｅｓｓ）ＴＤＤセルラー通信システムである、請求項１６記載の基地局装置。
【請求項１９】
前記ユーザ装置固有情報は、ＴＰＣ（Ｔｒａｎｓｍｉｔ  Ｐｏｗｅｒ  Ｃｏｎｔｒｏｌ）及びＳＳ（Ｓｙｎｃｈｒｏｎｉｓａｔｉｏｎ  Ｓｈｉｆｔ）データから構成される、請求項１８記載の基地局装置。
【請求項２０】
前記合成ユーザ装置固有情報の伝送パワーを、前記合成ユーザ装置固有情報を構成するユーザ装置固有情報についてのユーザ装置の数に応じて決定する手段をさらに有する、請求項１乃至１９何れか一項記載の基地局装置。
【請求項２１】
前記合成されたユーザ装置固有情報の符号化処理を、前記合成ユーザ装置固有情報を構成するユーザ装置固有情報についてのユーザ装置の数に応じて決定する手段をさらに有する、請求項１乃至２０何れか一項記載の基地局装置。
【請求項２２】
前記合成ユーザ装置固有情報は、検証データを有しない、請求項１乃至２１何れか一項記載の基地局装置。
【請求項２３】
前記伝送手段は、断続的な最小物理チャネル伝送ユニットにより第１ユーザに対するユーザ装置固有情報を伝送するよう動作可能である、請求項１乃至２２何れか一項記載の基地局装置。
【請求項２４】
前記最小物理チャネル伝送ユニットは、前記伝送手段によって伝送可能なユーザ装置固有情報の最小サイズ伝送ブロックに対応する、請求項１乃至２３何れか一項記載の基地局装置。
【請求項２５】
当該基地局装置は、前記伝送手段による伝送のためのリソーススケジューラを備える、請求項１乃至２４何れか一項記載の基地局装置。
【請求項２６】
セルラー通信システムにおいて基地局からユーザ装置固有情報を受信するユーザ装置であって、
物理リソースの最小物理チャネル伝送ユニットを用いて前記基地局から複数のユーザ装置に対して伝送された、合成ユーザ装置固有情報を受信する受信手段と、
前記合成ユーザ装置固有情報を復号する復号手段と、
前記合成ユーザ装置固有情報から当該ユーザ装置に対するユーザ装置固有情報を決定する決定手段と、
を備え、
前記復号手段は、順方向誤り符号化された前記合成ユーザ装置固有情報を復号し、
前記受信手段は、更に、前記基地局から複数の最小物理チャネル伝送ユニットを用いて伝送された前記合成ユーザ装置固有情報を受信可能である、ユーザ装置。
【請求項２７】
前記合成ユーザ装置固有情報は、結合的に符号化され、
前記決定手段は、復号された前記合成ユーザ装置固有情報から、当該ユーザ装置に対するユーザ装置固有情報を選択する手段を有する、請求項２６記載のユーザ装置。
【請求項２８】
合成ユーザ装置固有情報を生成するため、複数のユーザ装置に対するユーザ装置固有情報を合成する合成手段と、
前記合成ユーザ装置固有情報を符号化する物理レイヤ符号化手段と、
前記合成ユーザ装置固有情報を最小物理チャネル伝送ユニットで伝送する伝送手段と、
前記合成ユーザ装置固有情報を前記複数のユーザ装置に伝送するのに１つの前記最小物理チャネル伝送ユニットで十分であるか否かを判断する判断手段と、
を備え、
前記物理レイヤ符号化手段は、前記複数のユーザ装置についての前記合成ユーザ装置固有情報を順方向誤り訂正コードにより符号化し、
前記伝送手段は、前記合成ユーザ装置固有情報を前記複数のユーザ装置に伝送するのに１つの前記最小物理チャネル伝送ユニットでは十分でないと前記判断手段が判断した場合、前記物理レイヤ符号化手段により符号化された前記合成ユーザ装置固有情報を、複数の前記最小物理チャネル伝送ユニットを用いて伝送する、基地局装置と、
物理リソースの最小物理チャネル伝送ユニットを用いて前記基地局装置から複数のユーザ装置に対して伝送された、合成ユーザ装置固有情報を受信する受信手段と、
前記合成ユーザ装置固有情報を復号する復号手段と、
前記合成ユーザ装置固有情報から当該ユーザ装置に対するユーザ装置固有情報を決定する決定手段と、
を備え、
前記復号手段は、順方向誤り符号化された前記合成ユーザ装置固有情報を復号し、
前記受信手段は、更に、前記基地局装置から複数の最小物理チャネル伝送ユニットを用いて伝送された前記合成ユーザ装置固有情報を受信可能である、ユーザ装置と、
を有するセルラー通信システム。
【請求項２９】
セルラー通信システムにおいて基地局からユーザ装置にユーザ装置固有情報を伝送する方法であって、
合成ユーザ装置固有情報を生成するため、複数のユーザ装置に対するユーザ装置固有情報を合成するステップと、
前記合成ユーザ装置固有情報を符号化するステップと、
前記合成ユーザ装置固有情報を最小物理チャネル伝送ユニットで伝送するステップと、
前記合成ユーザ装置固有情報を前記複数のユーザ装置に伝送するのに１つの前記最小物理チャネル伝送ユニットで十分であるか否かを判断する判断ステップと、
を有し、
前記符号化するステップは、複数のユーザ装置についての前記合成ユーザ装置固有情報を順方向誤り訂正コードにより符号化することを含み、
前記伝送するステップは、前記合成ユーザ装置固有情報を前記複数のユーザ装置に伝送するのに１つの前記最小物理チャネル伝送ユニットでは十分でないと前記判断ステップで判断された場合、前記符号化するステップで符号化された前記合成ユーザ装置固有情報を、複数の前記最小物理チャネル伝送ユニットを用いて伝送することを含む、方法。
【請求項３０】
セルラー通信システムにおいて基地局からユーザ装置固有情報を受信する方法であって、
物理リソースの最小物理チャネル伝送ユニットを用いて前記基地局から複数のユーザ装置に対して伝送された、合成ユーザ装置固有情報を受信するステップと、
前記合成ユーザ装置固有情報を復号するステップと、
前記合成ユーザ装置固有情報から当該ユーザ装置に対するユーザ装置固有情報を決定するステップと、
を有し、
前記復号するステップは、順方向誤り符号化された前記合成ユーザ装置固有情報を復号し、
前記受信するステップは、更に、前記基地局から複数の最小物理チャネル伝送ユニットを用いて伝送された前記合成ユーザ装置固有情報を受信可能である、方法。
【発明の詳細な説明】
【技術分野】
【０００１】
本発明は、セルラー通信システムにおけるユーザ装置固有情報を通信する装置及び方法に関し、より詳細には、これに限定するものではないが、伝送パワー制御及び同期データの通信に関する。
【背景技術】
【０００２】
ここ数十年間において、モバイル通信のためのセルラー通信システムが一般的になってきた。当初には、セルラー通信システムは音声サービスのみを提供していたが、時間の経過と共に、ある多くのサービスが、既存のセルラー通信システムの拡張を通じて、又は新たなセルラー通信システムの開発を通じて提供されるようになってきている。
【０００３】
例えば、第３世代セルラー通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）によって標準化されてきており、また標準化の作業が継続されている。これらの第３世代セルラー通信システムは、異なる用途向けの多数の各種サービスを提供するよう標準化されてきた。
【０００４】
特に、データ通信に適したデータパケットサービスは、ほとんどのセルラー通信システムによりサポートされている。例えば、ダウンリンクパケットデータサービスが、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスの形式により３ＧＰＰによりリリースされた５つの仕様の範囲内でサポートされている。このシステムでは、伝送コードリソースは、ユーザ間でユーザのトラフィック要求に従って共有されている。基地局又は“ノードＢ（Ｎｏｄｅ−Ｂ）”が、いわゆるスケジューリングタスク内でリソースをユーザに割当て及び配分している。
【０００５】
割当て情報自体は、ＨＳ−ＳＣＣＨ（Ｈｉｇｈ  Ｓｐｅｅｄ−Ｓｈａｒｅｄ  Ｃｏｍｍｏｎ  Ｃｏｎｔｒｏｌ  ＣＨａｎｎｅｌ）を介しユーザに伝送される。これは、ユーザ装置（ＵＥ）にＨＳＤＰＡ共有リソース（Ｈｉｇｈ  Ｓｐｅｅｄ−Ｄｏｗｎｌｉｎｋ  Ｓｈａｒｅｄ  ＣＨａｎｎｅｌ）上の以降の伝送の知識を提供する。これにより、ＵＥは自ら準備し、伝送に適するように自らのレシーバを設定することが可能となる。
【０００６】
データ及び信号処理に使用されるこれらの共有リソースに加えて、現在リリースされている５つの仕様は、関連するアップリンク及びダウンリンクＤＰＣＨ（Ｄｅｄｉｃａｔｅｄ  Ｐｈｙｓｉｃａｌ  ＣＨａｎｎｅｌ）の存在を義務づける。
【０００７】
３ＧＰＰ仕様によると、ＨＳＤＰＡサービスは、ＦＤＤ（Ｆｒｅｑｕｅｎｃｙ  Ｄｉｖｉｓｉｏｎ  Ｄｕｐｌｅｘ）モード及びＴＤＤ（Ｔｉｍｅ  Ｄｉｖｉｓｉｏｎ  Ｄｕｐｌｅｘ）モードの双方に利用可能である。
【０００８】
ＦＤＤモードでは、これらのチャネルの目的は以下のようなものである。
【０００９】
ダウンリンク  ＤＰＣＨ：
・物理レイヤの上位のレイヤからデータを潜在的に搬送するため（何れのデータもＤＣＨ（Ｄｅｄｉｃａｔｅｄ  ＣＨａｎｎｅｌ）にマップされると仮定する）
・アップリンクＤＰＣＨを制御するため、ＴＰＣ（Ｔｒａｎｓｍｉｔ  Ｐｏｗｅｒ  Ｃｏｎｔｒｏｌ）コマンドをＵＥに搬送するため
・ダウンリンクパイロットシンボルをＵＥに搬送するため（これらのシンボルは、基地局への伝送のためチャネルクオリティフィードバックを導出し、ダウンリンク信号の復調を実現するのに利用される）
アップリンク  ＤＰＣＨ：
・物理レイヤの上位のレイヤからデータを搬送するため
・ダウンリンクＤＰＣＨのためＴＰＣフィードバックを搬送するため
ＴＤＤモードでは、これらのチャネルの目的は以下のようなものとなる。
【００１０】
１．２８Ｍｃｐｓ  ＴＤＤサービス
・物理レイヤの上位のレイヤからデータを搬送するため（何れのデータもＤＣＨにマップされると仮定する）
・アップリンクＤＰＣＨパワー制御のためのＴＰＣデータを搬送するため
・アップリンクＤＰＣＨ同期のためのＳＳを搬送するため
３．８４Ｍｃｐｓ  ＴＤＤサービス
・物理レイヤの上位のレイヤからデータを搬送するため（何れのデータもＤＣＨにマップされると仮定する）
ＨＳＤＰＡに対する現在のアプローチの欠点は、各アクティブユーザ装置に専用のチャネリゼイションコード（ｃｈａｎｎｅｌｉｓａｔｉｏｎ  ｃｏｄｅ）を割り当てることが、利用可能なコードリソースのかなりの部分を消費するということである。チャネリゼイションコードは、各ユーザ装置のためのデータを分離するため、ＣＤＭＡ（Ｃｏｄｅ  Ｄｉｖｉｓｉｏｎ  Ｍｕｌｔｉｐｌｅ  Ａｃｃｅｓｓ）システムにより使用される。第３世代セルラー通信システムでは、基地局によって使用することができる利用可能なチャネリゼイションコードの個数は、ＦＤＤとＴＤＤのためのダウンリンクとＴＤＤのためのアップリンクに対してかなり制限される。さらに、各ユーザ装置への制御情報の伝送に係る伝送パワーは、他の通信との干渉を引き起こす。従って、現在のアプローチは、ＨＳ−ＤＳＣＨのためなど、他のチャネルによる仕様に利用可能なコード及びパワーリソースを大きく低減させるかもしれない。
【００１１】
ＨＳ−ＤＳＣＨは、特にパケットデータ通信システムにおいて一般的なバースト的なユーザトラフィックプロファイルを取り扱うのに効率的である。他方、専用チャネルは、一般に音声などの一定のビットレートのアプリケーション及びあるタイプのテレビ会議技術により適している。これらのサービスは、一般に「会話クラス」サービスと呼ばれる。パラレルな会話クラスサービスなしにＨＳＤＰＡパケットデータサービスを利用するとき、ダウンリンクのためのすべての上位レイヤデータをＤＣＨ以外の他のダウンリンクトランスポートチャネルにマップすることが可能である。このような状況では、ＤＰＣＨ物理チャネルを介して情報はほとんど通信されない。
【００１２】
具体的には、以下の情報のみがいくつかのケースにおいて、ＤＰＣＨにより搬送されるかもしれない。
【００１３】
ＦＤＤ
・アップリンクＤＰＣＨパワー制御のためのＴＰＣコマンド
・ダウンリンクのための専用のパイロットシンボル
１．２８Ｍｃｐｓ  ＴＤＤ
・アップリンクＤＰＣＨパワー制御のためのＴＰＣコマンド
・アップリンクＤＰＣＨ同期のためのＳＳコマンド
３．８４Ｍｃｐｓ  ＴＤＤ
・＜未使用＞
この情報に対するデータレートは極めて低いものであるため、専用のＤＰＣＨの仕様は通信をかなり非効率的なものにする。従って、各ＵＥに専用のＵＥ固有情報を通信するより効率的な手段を求めることができれば効果的となるであろう。特に、関連するダウンリンクＤＰＣＨが各ＨＳＤＰＡサービスと共存する要件が削除又は緩和することが可能となるように、ＴＰＣ／パイロット／ＳＳ情報をユーザ装置により効率的に搬送することが効果的となる。
【００１４】
提案された１つの解決手段は、「Ｆ−ＤＰＣＨ（Ｆｒａｃｔｉｏｎａｔｅｄ  ＤＰＣＨ）」コンセプトとして知られている。当該アプローチは、ＦＤＤにのみ適用可能であり、ＨＳＤＰＡのチャネリゼイションコード効率を向上させるためのものである。このコンセプトでは、ＨＳＤＰＡの「データのみ（ｄａｔａ−ｏｎｌｙ）」のユーザ（すなわち、会話クラストラフィックを有しないユーザ）について、ダウンリンク信号処理（ＤＣＣＨ）及びトラフィック（ＤＴＣＨ）は、ＤＣＨトランスポートチャネルにマップされず、その代わりにＨＳ−ＤＳＣＨ又はＦＡＣＨトランスポートチャネルにマップされる。さらに、Ｆ−ＤＰＣＨコンセプトでは、ＴＰＣ及び（おそらく）パイロットシンボルの伝送に使用されるダウンリンクコードリソースは、連続的に伝送可能な同一のチャネリゼイションコードに時間多重される。
【発明の概要】
【発明が解決しようとする課題】
【００１５】
しかしながら、提案されたデータの伝送チャネリゼイションコードへの時間多重化は、いくつかの用途には適しているかもしれないが、他の状況では効果的でないかもしれない。
【００１６】
例えば、ＦＤＤ  Ｆ−ＤＰＣＨコンセプトは、ＴＤＤ通信には適していない。
【００１７】
具体的には、ＴＤＤデータは、バーストのエンドにおけるガードピリオド（ｇｕａｒｄ−ｐｅｒｉｏｄ）及びミッドアンブル（ｍｉｄａｍｂｌｅ）部分の何れかのサイドでデータ部分を有するタイムスロットにより伝送される。このミッドアンブル部分は、データペイロード部分を検出、復調及び受信するため、受信されねばならない。従って、タイムスロット全体が、データを伝送するのに受信される必要がある。
【００１８】
さらに、ＴＤＤについては、最大チャネリゼイションコード拡散係数は１６であるが、ＦＤＤについてそれは２５６となる。従って、ＴＤＤの伝送の最小単位は、拡散係数１６における１つのチャネリゼイションコードを有する１つのタイムスロットであるが、ＦＤＤの最小の伝送ユニットははるかに小さいものとなるかもしれず、従って、ＵＥ固有データの小さなデータ量の伝送により適したものとなる。例えば、１．２８Ｍｃｐｓ  ＴＤＤ（１タイムスロット、ＳＦ１６における１コード、ＱＰＳＫ変調）通信のための最小伝送単位は、８８ビットから構成される。このため、ＴＤＤの最小伝送単位は、大きすぎるため、典型的には３ビットのみであるＴＰＣ及びＳＳ情報を効率的に搬送することができないことは明らかである。
【００１９】
上記問題点のいくつかは、Ｎフレーム毎に１フレームのみの単一の最小伝送単位を利用して、データがユーザに伝送されるデューティサイクルの利用を通じて軽減されるかもしれない。しかしながら、これは、信号処理の更新レートが実質的に低減され、パワー制御及び同期ループのパフォーマンスを大きく劣化させるという欠点を有する。
【００２０】
従って、各ＵＥの少量のＵＥ固有情報を伝送する現在のアプローチは、非効率かつ面倒なものであり、低い更新レートをもたらしうる。
【００２１】
従って、セルラー通信システムにおいてユーザ装置固有情報を通信する改良されたシステムが、効果的となるであろう。
【００２２】
したがって、本発明は、好ましくは、上述した問題点の１以上を単独で又は何れかの組み合わせにより軽減又は解消するものである。
【課題を解決するための手段】
【００２３】
本発明の第１の特徴によると、セルラー通信システムにおいて基地局からユーザ装置にユーザ装置固有情報を伝送する装置であって、合成されたユーザ装置固有情報を生成するため、複数のユーザ装置に対するユーザ装置固有情報を合成する手段と、前記合成されたユーザ装置固有情報を符号化する手段と、前記合成されたユーザ装置固有情報を最小伝送リソース単位により伝送する手段とを有する装置が提供される。
【００２４】
ＵＥ固有情報は、制御情報であってもよい。
【００２５】
本発明は、ユーザ装置（ＵＥ）固有情報のより効率的な通信を可能にするかもしれない。特に、少量のＵＥ固有情報が、高い更新レートにより効率的に通信可能である。例えば、ＵＥ固有情報が最小伝送リソース単位のキャパシティよりはるかに小さい状況では、当該情報を通信するのに係るオーバーヘッドが実質的に低減されるかもしれない。
【００２６】
本発明の実施例は、干渉の低減、更新レートの増大、伝送リソース使用の低減、及び／又はセルラー通信システム全体のパフォーマンスの向上を提供するかもしれない。特に、セルラー通信システムのコード及びパワーリソースの使用を大きく向上させることが可能であり、システムキャパシティがこれに応じて増大させることができる。
【００２７】
本発明の任意的特徴によると、最小伝送リソース単位はタイムスロットである。本発明は、１つのタイムスロットにより複数のＵＥに対するＵＥ固有情報の効率的な通信を可能にするかもしれない。実施例では、３ＧＰＰ  ＴＤＤシステムに対するものなど、最小伝送リソース単位は、タイムスロットのチャネリゼイションコードであるかもしれない。
【００２８】
本発明の任意的特徴によると、最小伝送リソース単位は、単一の時間コード周波数リソース割当て単位である。
【００２９】
本発明は、最小伝送リソース単位は、単一の時間コード周波数リソース割当て単位により複数のＵＥに対するＵＥ固有情報の効率的な通信を可能にするかもしれない。時間コード周波数リソース割当てユニットは、１つの周波数キャリアの時間インターバルにおける１つのコードを利用する。コード分割が利用されない実施例では、時間コード周波数リソース割当てユニットは、本来的に１つのコードに関連付けされる（非拡散又はチャネリゼイション又はコード分割に対応する）。時間分割が利用されない実施例では、時間コード周波数リソース割当てユニットは、本来的には１つの時間インターバルに関連付けされる。
【００３０】
本発明の任意的特徴によると、前記符号化する手段は、前記複数のユーザ装置の少なくとも２つに対するユーザ装置固有情報を結合的に符号化するよう動作可能である。
【００３１】
結合符号化は、第１ユーザ装置に関する符号化されたデータが、少なくとも第２ユーザ装置に係るユーザ装置固有情報に応答して決定されるようなものであってもよい。結合符号化は、符号化されたデータの少なくとも１つのデータビットが、複数のユーザ装置に対するＵＥ固有情報に関する情報を有するようなものであってもよい。
【００３２】
当該特徴は、ＵＥ固有情報のより効率的な通信を可能にするかもしれない。例えば、ＵＥ固有情報の３つのパラメータが５つの可能性のある値をとる可能性がある場合、各パラメータは、実際の値を表すため３つのデータビットを必要とする。しかしながら、これら３つのパラメータに対する可能な値の合計は、５３＝１２５となる。従って、合成されたパラメータ値は、個別の符号化に必要とされる９ビットでなく７ビットにより表すことが可能となる。当該任意的特徴は、いくつかの実施例では、複数のＵＥに対するデータストリームを合成することによって向上するバイナリ信号処理効率を可能にする。
【００３３】
本発明の任意的特徴によると、前記符号化する手段は、前記複数のユーザ装置のすべてのユーザ装置に係るユーザ装置固有情報を結合的に符号化するよう動作可能である。これは、符号化効率を向上させるかもしれない。
【００３４】
本発明の任意的特徴によると、前記符号化する手段は、順方向誤り訂正符号化を有する。これは、ＵＥ固有情報の通信のパフォーマンスを向上させるかもしれない。結合順方向誤り訂正符号化は、複数のＵＥに対するＵＥ固有情報に適用可能であるかもしれない。これは、１つのみのＵＥに対する個別データに誤り訂正を適用することと比較して、誤り訂正処理のパフォーマンスを向上させるかもしれない。特に、さらなる時間分散が実現可能となるかもしれない。インタリーブ処理が、順方向誤り訂正符号化の一部として実行されるかもしれない。
【００３５】
本発明の任意的特徴によると、前記ユーザ装置固有情報は、各々がいくつかの可能な値を有する複数のパラメータを有し、前記符号化する手段は、前記複数のパラメータの可能な値の個数の積に等しいいくつかの合成された可能な値を有する合成されたパラメータを符号化することによって、前記複数のパラメータを符号化するよう動作可能である。これは、効率性を向上させ、及び／又は実現を容易にする。例えば、５つの可能な値を有する第１パラメータと、６つの可能な値を有する第２パラメータと、７つの可能な値を有する第３パラメータとは、５＊６＊７＝２１０の可能な値を有する合成されたパラメータの符号化によって、すなわち、３＊３＝９ビットでなく８ビットにより符号化されるかもしれない。
【００３６】
本発明の任意的特徴によると、前記ユーザ装置固有情報は、パワー制御情報を有する。本発明は、パワー制御情報を通信する効率的な手段を有する。特に、低いオーバーヘッド及び／又は高い更新レートが、実現されるかもしれない。パワー制御情報は、典型的には、十分高いデータレートにより通信される少量の情報を有し、このため、本発明は、無線インタフェースを介しパワー制御ループを動作させる特に効果的な手段を提供するかもしれない。
【００３７】
本発明の任意的特徴によると、前記ユーザ装置固有情報は、同期情報を有する。
【００３８】
同期情報は、例えば、データシンボルタイミング同期を含むタイミング同期及び／又はコード同期であるかもしれない。
【００３９】
本発明は、同期情報を通信する効率的な手段を提供するかもしれない。特に、低いオーバーヘッド及び／又は高い更新レートが、実現されるかもしれない。同期情報は、典型的には、十分な高さのデータレートにより通信される少量の情報を有し、このため、本発明は、無線インタフェースを介しパワー制御ループを動作させる特に効果的な手段を提供するかもしれない。
【００４０】
ＵＥ固有情報は、いくつかの実施例では、パワー制御情報と同期から構成されるかもしれない。
【００４１】
本発明の任意的特徴によると、前記ユーザ装置固有情報は、同期情報のみを有する。これは、データレートが低減するに従って、いくつかのシステムでは制御情報の通信の効率性を向上させるかもしれない。例えば、パワー制御は、オープンループパワー制御ループ方法などの他の手段により実現されるかもしれない。
【００４２】
本発明の任意的特徴によると、前記ユーザ装置固有情報は、前記複数のユーザ装置のそれぞれからのアップリンクチャネルに係る。
【００４３】
アップリンクチャネルは、例えば、セルラー通信システムのＤＰＣＨ（Ｄｅｄｉｃａｔｅｄ  Ｐｈｙｓｉｃａｌ  ＣＨａｎｎｅｌ）であってもよく、ユーザ装置固有情報は、アップリンクチャネルに係る制御情報であってもよい。このため、本発明は、高い更新レートを有し、通信リソースをほとんど使用しないダウンリンクデータの伝送によって、アップリンクチャネルの制御又は管理などの効率的な手段を提供するかもしれない。
【００４４】
本発明の任意的特徴によると、本装置は、前記複数のユーザ装置の伝送パワー要求に応答して、前記最小伝送リソース単位に対する伝送パワーを設定する手段をさらに有する。
【００４５】
具体的には、要求又は所望される伝送パワーが、複数のユーザ装置の各ユーザ装置に対して決定されてもよく、最小伝送リソース単位の伝送パワーが、最も高い決定された伝送パワーに設定されるかもしれない。これは、複数のユーザ装置のすべてのユーザ装置が、適切なクオリティの信号を受信することを保証しながら、低い伝送パワーリソースの使用による効率的な通信を保証するかもしれない。
【００４６】
本発明の任意的特徴によると、本装置は、第１ユーザ装置に対するユーザ装置固有情報の位置を示す位置情報を伝送する手段をさらに有する。
【００４７】
位置情報は、最小伝送リソース単位内の第１ユーザ装置に対するデータの位置を示すものであるかもしれない。位置情報は、各ユーザ装置が合成された情報ストリーム内の各ユーザ装置に対するユーザ固有データを決定することを可能又は支援するものであるかもしれない。位置情報は、明示的及び／又は直接的な表示であるかもしれず、又は例えば、関連する及び／又は間接的な表示であってもよい。
【００４８】
本発明の任意的特徴によると、前記ユーザ装置固有情報は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスに係る制御情報である。
【００４９】
ＨＳＤＰＡは、具体的には、３ＧＰＰ（３ｒｄ  Ｇｅｎｅｒａｔｉｏｎ  Ｐａｒｔｎｅｒｓｈｉｐ  Ｐｒｏｊｅｃｔ）により指定されるＨＳＤＰＡサービスであってもよい。このため、本発明は、ＨＳＤＰＡサービスに対する制御情報の効率的な通信を提供し、特にアップリンクに対する効率的な制御又はフィードバックを提供するかもしれない。
【００５０】
本発明の任意的特徴によると、前記ユーザ装置固有情報は、前記ＨＳＤＰＡダウンリンクパケットデータサービスのアップリンクＤＰＣＨ（Ｄｅｄｉｃａｔｅｄ  Ｐｈｙｓｉｃａｌ  ＣＨａｎｎｅｌ）に係る。
【００５１】
特に、ＤＰＣＨは、３ＧＰＰによって規格化されるようなアップリンクＤＰＣＨであってもよい。本発明は、高い更新レートによる高いパフォーマンスと低いリソース使用によるアップリンクＤＰＣＨチャネルの極めて効率的な制御を提供するかもしれない。
【００５２】
本発明の任意的特徴によると、前記符号化する手段は、複数のサービスにより使用されるアルゴリズム群の処理アルゴリズムを利用することによって、前記合成されたユーザ装置固有情報を符号化するよう動作可能である。
【００５３】
複数のサービスは、専用又は共有チャネルであってもよく、最小伝送リソース単位に対して使用されるものと異なる物理的又は論理的チャネルを使用するデータ通信に対応するかもしれない。具体的には、３ＧＰＰの実施例では、ＵＥ固有情報の符号化は、標準化された３ＧＰＰトランスポートチャネル処理方法を利用するかもしれない。従って、標準化されたアルゴリズム及びプロセスのツールボックスが、複数のユーザからの多重化、連結又は合成されたユーザデータを共通の物理リソースにマップするのに利用されるかもしれない。これは符号化を容易にし、機能が共有される装置の複雑さを低減させるかもしれない。
【００５４】
本発明の任意的特徴によると、前記セルラー通信システムは、ＴＤＤ（Ｔｉｍｅ  Ｄｉｖｉｓｉｏｎ  Ｄｕｐｌｅｘ）セルラー通信システムである。
【００５５】
セルラー通信システムは、具体的には、３ＧＰＰ  ＴＤＤシステムの１．２８Ｍｃｐｓモードの変形を実現するかもしれない。ユーザ装置固有情報は、ＴＤＤアップリンク通信に係るユーザ装置固有情報であるかもしれない。
【００５６】
本発明の任意的特徴によると、前記セルラー通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）により指定されるＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）  Ｔｅｒｒｅｓｔｒｉａｌ  Ｒａｄｉｏ  Ａｃｃｅｓｓ）ＴＤＤセルラー通信システムである。本発明は、ＵＴＲＡ  ＴＤＤシステムに準拠し、具体的に適したＵＥ固有情報を通信する特に効果的かつ効率的な手段を提供するかもしれない。
【００５７】
本発明の任意的特徴によると、前記ユーザ装置固有情報は、ＴＰＣ（Ｔｒａｎｓｍｉｔ  Ｐｏｗｅｒ  Ｃｏｎｔｒｏｌ）及びＳＳ（Ｓｙｎｃｈｒｏｎｉｓａｔｉｏｎ  Ｓｈｉｆｔ）データから構成される。本発明は、ＵＴＲＡ  ＴＤＤシステムにおけるＴＰＣ及びＳＳデータを通信する特に効果的かつ効率的な手段を提供するかもしれない。本発明は、リソースの使用の低減、パフォーマンスの向上及び／又は更新レートの向上を可能にするかもしれない。例えば、ＴＰＣ及びＳＳデータの効率的かつ頻繁な通信が実現可能であり、これにより、係るアップリンクＤＰＣＨのパフォーマンスが向上する。
【００５８】
本発明の任意的特徴によると、本装置は、前記最小伝送リソース単位が、ユーザ装置固有情報を有するいくつかのユーザ装置に応答して、前記最小伝送リソース単位の伝送パワーを決定する手段をさらに有する。
【００５９】
これは、通信の信頼性を向上させ、及び／又はリソースの使用及び／又は干渉の発生を低減させるかもしれない。例えば、ＵＥ固有情報がいくつかのユーザのみと通信される場合、冗長性の増大を招き、伝送パワーが低減するかもしれない。
【００６０】
本発明の任意的特徴によると、本装置は、前記最小伝送リソース単位が、ユーザ装置固有情報を有するいくつかのユーザ装置に応答して、前記最小伝送リソース単位に対する符号化処理を決定する手段をさらに有する。
【００６１】
これは、通信の信頼性を向上させ、及び／又はリソースの使用及び／又は干渉の発生を低減させるかもしれない。符号化処理は、例えば、順方向誤り訂正符号化処理を含むかもしれない。例えば、ＵＥ固有情報がいくつかのユーザのみと通信される場合、高いパフォーマンスの順方向誤り訂正コードが（高い冗長性と、これによる低いデータレート）、低減された伝送パワーにより利用可能である。
【００６２】
本発明の任意的特徴によると、前記最小伝送リソース単位は、検証データを有しない。
【００６３】
これは、オーバーヘッドを低減させ、最小伝送リソース単位の一般的な信頼性がＵＥに対するＵＥ固有情報におけるエラーのみが影響を与えるため、各ＵＥには典型的には重要でないことを利用するかもしれない。ＵＥ固有情報においてＵＥによるエラーは、他のＵＥに対する情報の信頼性に直接的には影響を与えないかもしれない。
【００６４】
本発明の任意的特徴によると、前記伝送する手段は、断続的な最小伝送リソース単位により第１ユーザに対するユーザ装置固有情報を伝送するよう動作可能である。
【００６５】
例えば、具体的なＵＥに対するＵＥ固有情報のみが、他のすべての最小伝送リソース単位において伝送されるかもしれない。これは、通信の効率性を向上させ、ＵＥ固有情報の通信のためのリソース割当てのフレキシビリティを向上させるかもしれない。
【００６６】
本発明の任意的特徴によると、前記最小伝送リソース単位は、前記伝送する手段によって伝送可能なユーザ装置固有情報の最小サイズ伝送ブロックに対応する。
【００６７】
いくつかの実施例では、最小伝送リソース単位は、伝送手段による伝送のためのリソーススケジューラによって割当て可能な最小のデータブロックであるかもしれない。具体的には、いくつかの実施例では、最小伝送リソース単位は、セルラー通信システムの仕様に従って個別に伝送可能な最小のデータブロック又は単位であるかもしれない。例えば、３ＧＰＰ  ＴＤＤ通信システムについては、最小伝送リソース単位は、１つのキャリアの１つのタイムスロットの１つのチャネリゼイションコードであるかもしれない。
【００６８】
本装置は、いくつかのセルラー通信システムにおけるノードＢとして知られるような基地局であってもよい。
【００６９】
本発明の第２の特徴によると、セルラー通信システムにおいて基地局からユーザ装置固有情報を受信するユーザ装置であって、複数のユーザ装置に対する合成されたユーザ装置固有情報を有する最小伝送リソース単位を受信する手段と、前記最小伝送リソース単位から当該ユーザ装置に対するユーザ装置固有情報を決定する手段とを有するユーザ装置が提供される。
【００７０】
本発明の任意的特徴によると、前記合成されたユーザ装置固有情報は、結合的に符号化され、前記決定する手段は、前記合成されたユーザ装置固有情報を復号化し、当該ユーザ装置に対するユーザ装置固有情報を選択する手段を有する。
【００７１】
本発明の第３の特徴によると、合成されたユーザ装置固有情報を生成するため、複数のユーザ装置に対するユーザ装置固有情報を合成する手段と、前記合成されたユーザ装置固有情報を符号化する手段と、最小伝送リソース単位により前記合成されたユーザ装置固有情報を伝送する手段とを有し、基地局からユーザ装置にユーザ装置固有情報を伝送する第１装置と、複数のユーザ装置に対する合成されたユーザ装置固有情報を有する最小伝送リソース単位を受信する手段と、前記最小伝送リソース単位から前記ユーザ装置に対するユーザ装置固有情報を決定する手段とを有するユーザ装置とを有するセルラー通信システムが提供される。
【００７２】
本発明の第４の特徴によると、セルラー通信システムにおいて基地局からユーザ装置にユーザ装置固有情報を伝送する方法であって、合成されたユーザ装置固有情報を生成するため、複数のユーザ装置に対するユーザ装置固有情報を合成するステップと、前記合成されたユーザ装置固有情報を符号化するステップと、前記合成されたユーザ装置固有情報を最小伝送リソース単位により伝送するステップとを有する方法が提供される。
【００７３】
本発明の第５の特徴によると、セルラー通信システムにおいて基地局からユーザ装置固有情報を受信する方法であって、複数のユーザ装置に対する合成されたユーザ装置固有情報を有する最小伝送リソース単位を受信するステップと、前記最小伝送リソース単位から前記ユーザ装置に対するユーザ装置固有情報を決定するステップとを有する方法が提供される。
【００７４】
本発明の上記及び他の特徴及び効果は、以降に説明される実施例を参照して明らかになるであろう。
【図面の簡単な説明】
【００７５】
【図１】本発明の実施例によるセルラー通信システムを示す。
【図２】本発明の実施例による基地局の符号化プロセッサの一例を示す。
【発明を実施するための形態】
【００７６】
図１は、本発明の実施例によるセルラー通信システム１００を示す。
【００７７】
セルラー通信システム１００は、第３世代セルラー通信システムについて使用される用語に従ってノードＢ１０１と以降において呼ばれる基地局を有する。ノードＢ１０１は、当業者に周知であるように、複数のユーザ装置（ＵＥ）（その１つのみが示されている）と通信する。
【００７８】
ＵＥ１０３は、加入者ユニット、無線ユーザ装置、モバイルステーション、通信端末、携帯情報端末、ラップトップコンピュータ、埋め込み通信プロセッサ又はセルラー通信システムの無線インタフェースを介し通信可能な任意の通信要素であってもよい。
【００７９】
ノードＢ１０１はさらに、基地局と相互接続する固定ネットワークに接続され、任意の２つの基地局の間でデータを経由させるよう動作可能であり、これにより、あるセル内のＵＥは他の何れかのセル内のＵＥと通信することが可能となる。さらに、固定ネットワークは、ＰＳＴＮ（Ｐｕｂｌｉｃ  Ｓｗｉｔｃｈｅｄ  Ｔｅｌｅｐｈｏｎｅ  Ｎｅｔｗｏｒｋ）などの外部ネットワークと相互接続するためのゲートウェイ機能を有し、これにより、ＵＥが固定電話及び固定電話により接続される他の通信端末と通信することを可能にする。さらに、固定ネットワークは、データのルーティング、許可制御、リソース割当て、加入者の課金、移動局認証などのための機能を含む、従来のセルラー通信ネットワークを管理するのに必要となる機能の多くを有する。固定ネットワークは、具体的には、当業者に周知であるように、ＲＮＣ（Ｒａｄｉｏ  Ｎｅｔｗｏｒｋ  Ｃｏｎｔｒｏｌｌｅｒ）及びコアネットワークを含むかもしれない。
【００８０】
図１の実施例では、ノードＢ１０１は、ＵＥ１０３の１以上のサービスをサポートする。この例では、ノードＢ１０１は、極めて少量のデータをＵＥ１０３と頻繁に通信する。当該データは、他のＵＥに適用可能でない又は関連しないＵＥ固有情報である。このＵＥ固有情報は、ＵＥ１０３に提供される通信サービスの一部となるデータであってもよく、又はＵＥ１０３に提供されるサービスのサポートにおいて通信されるデータであるかもしれない。
【００８１】
具体例として、ノードＢ１０１は、図１の実施例では、５ミリ秒ごとに３ビットのデータをＵＥ１０３に伝送するかもしれない。
【００８２】
さらに、ＵＥ１０３への伝送に加えて、ノードＢ１０１はまた、いくつかの他のＵＥに対する同様のサービスをサポートするかもしれない。このため、ノードＢ１０１は、潜在的な多数のごく少量のデータブロックを各ＵＥに通信しなければならない。従来、これはセルラー通信システムでは極めて非効率的であり、伝送されるデータビット毎に大きなオーバーヘッドと大変大きなリソース消費を生じさせる。
【００８３】
図１の実施例によると、ノードＢ１０１は、ノードＢコントローラ１０７を有する。ノードＢコントローラ１０７は、当業者に周知であるように、ノードＢ１０１により所望される、又は要求される機能を実現するよう動作可能である。
【００８４】
図１の例では、ノードＢコントローラ１０７は、セルラー通信システムの無線インタフェースを介しデータを送受信するよう動作可能なノードＢトランシーバ１０９に接続される。当該実施例では、ノードＢコントローラ１０７は、ＵＥから受信する信号に応答して、各ＵＥに対する制御情報を生成するよう動作可能である。例えば、ノードＢコントローラ１０７は、各ＵＥに対するアップリンクパワー制御又は同期（コードタイミング同期など）データを生成するかもしれない。
【００８５】
ノードＢコントローラ１０７は、合成プロセッサ１１に接続される。図１の実施例によると、合成プロセッサ１１１は、合成されたＵＥ固有情報を生成するため、複数のユーザ装置に対するユーザ装置固有情報を合成するよう動作可能である。例えば、合成プロセッサ１１１は、ノードＢコントローラ１０７からパワー制御及び同期データを受信し、これらをＵＥグループに対する情報を有する１つの制御データブロックに合成するかもしれない。
【００８６】
合成プロセッサ１１１は、合成プロセッサ１１１から合成されたＵＥ固有情報を受信する符号化プロセッサ１１３に接続される。例えば、符号化プロセッサ１１３は、合成プロセッサ１１１からパワー制御及び同期情報のデータブロックを受信する。
【００８７】
符号化プロセッサ１１３は、伝送に適したデータを生成するため、合成されたＵＥ固有情報を符号化するよう動作可能である。図１の実施例では、符号化プロセッサ１１３は、伝送のため誤り訂正符号化、インタリーブ処理及びシンボルマップ処理を実行する。
【００８８】
いくつかの実施例では、符号化プロセッサ１１３は、他のＵＥに対するデータから独立にかつ個別に各ユーザに対するデータを符号化する。しかしながら、後述されるように、符号化プロセッサ１１３は、他の実施例では、各ＵＥのデータが一緒に符号化され、これにより、複数のＵＥに係るＵＥ固有情報に依存する符号化データが生成される結合符号化を実行するかもしれない。
【００８９】
従って、符号化プロセッサ１１３は、合成されたＵＥ固有情報を符号化し、それを最小の伝送リソース単位により無線インタフェースを介し伝送するノードＢトランシーバ１０９に供給する。
【００９０】
従って、当該実施例によると、複数のＵＥに対するＵＥ固有情報を有する最小伝送リソース単位が生成される。従って、当該実施例は、最小伝送リソース単位に対応するリソース粒度よりかなり小さな粒度によって、ＵＥ固有情報が効率的に伝送されることを可能にするかもしれない。
【００９１】
最小伝送リソース単位は、典型的には、具体的な実施例に依存する。
【００９２】
最小伝送リソース単位は、単一の時間コード周波数リソース割当て単位であってもよい。例えば、セルラー通信システムでは、リソース割当ては、一般には指定されたキャリア周波数、指定された時間インターバル及び指定されたコード分割コードに対応するリソースユニットの形式によりリソースを割り当てるかもしれない。従って、最小伝送リソース単位は、１つのキャリア及び１つのコードに対して割当て可能な最小の時間インターバルであるかもしれない。具体的には、最小伝送リソース単位は、ＴＤＭＡ（Ｔｉｍｅ  Ｄｉｖｉｓｉｏｎ  Ｍｕｌｔｉｐｌｅ  Ａｃｃｅｓｓ）又はＴＤＤ（Ｔｉｍｅ  Ｄｉｖｉｓｉｏｎ  Ｄｕｐｌｅｘ）セルラー通信システムのタイムスロットであるかもしれない。いくつかの通信システムでは、コード分割は適用されず、最小伝送リソース単位は、ＵＥ間を分離するため使用される残りのパラメータによって、例えば、タイムスロット及びキャリア周波数などによって決定されるかもしれない。
【００９３】
いくつかの実施例では、他の制約はリソースユニットの最小サイズを制限するかもしれない。従って、セルラー通信システムに使用されるリソース単位の最小サイズは、規格化された技術的仕様による制限によって、又は実現形態の制約によって決定されるかもしれない。
【００９４】
最小伝送リソース単位は、ノードＢトランシーバ１０９によって連続的に伝送可能な最小のリソースユニットであるかもしれない。
【００９５】
従って、本実施例によると、ノードＢ１０１は、最小伝送リソース単位のサイズによって決定されるオーバーヘッドを被ることなく、最小伝送リソース単位よりはるかに小さいサイズのＵＥ固有データを伝送することが可能である。このため、少量のＵＥ固有情報のはるかに効率的な通信が実現される。
【００９６】
複数のＵＥに対するＵＥ固有情報は、例えば、同一チャネリゼイションコードを用いた１つのタイムスロットにより伝送されるかもしれない。その後、各ＵＥは、当該タイムスロットを受信及び復号し、各ＵＥに対するＵＥ固有情報を抽出する。
【００９７】
従って、ＵＥ１０３は、無線インタフェースを介しデータを送受信するＵＥトランシーバ１１５を有する。具体的には、ＵＥトランシーバ１１５は、最小伝送リソース単位を受信し、これをＵＥデータプロセッサ１１７に供給する。ＵＥデータプロセッサ１１７は、最小伝送リソース単位を復号し、特定のＵＥ１０３に対するＵＥ固有情報を抽出するよう動作可能である。
【００９８】
図１の実施例では、ＵＥ１０３はさらに、当業者に周知なように、ＵＥ１０３によって要求される他のすべての機能を実現するＵＥコントローラ１１９を有する。
【００９９】
図１の実施例では、ＵＥデータプロセッサ１１７は、ＵＥコントローラ１１９に接続される。一例として、ノードＢ１０１は、１つのチャネリゼイションコードを介し１つのタイムスロットにより複数のＵＥに対するパワー制御及び同期データを伝送可能である。ＵＥ１０３は、この伝送を受信及び復号し、ＵＥ１０３に対するパワー制御及び同期データを抽出する。その後、当該データはＵＥコントローラ１１９に供給され、アップリンク伝送の伝送パワー及びタイミングが調整される。従って、低データレート制御情報を伝送する効率的なシステムが提供される。
【０１００】
各ＵＥが関連するデータを選択するため、それが当該ＵＥに対する受信した最小伝送リソース単位のデータを知っていることが必要である。
【０１０１】
これは、多数の方法により実現可能である。図１の実施例では、ノードＢ１０１は、異なるユーザ装置のためのＵＥ固有情報の位置を示すデータ位置情報を伝送するよう動作可能である。この位置情報は、最小伝送リソース単位により又は他の伝送により伝送されてもよい。位置情報は、直接的かつ明示的なものであってもよい。例えば、ノードＢ１０１によって、ＵＥアイデンティティと最小伝送リソース単位の各データとを具体的に関連付けるメッセージが、すべてのＵＥに伝送されるかもしれない。同じ関連付けが多数の最小伝送リソース単位について利用可能であるため、位置情報の伝送と関連付けされるリソースの使用は、小さく保つことができる。
【０１０２】
位置情報は、いくつかの実施例では、関連情報などによって間接的に提供されるかもしれない。例えば、位置情報は、他のシステム又はＵＥパラメータに関連するものであってもよく、これらのシステム又はＵＥパラメータの知識から、特定のＵＥからのデータの位置が決定される。
【０１０３】
以下において、３ＧＰＰ  ＵＴＲＡ  ＴＤＤモバイル無線通信システムに適用可能な本発明の実施例のより詳細な説明が記載される。特に、当該記載は、１．２８Ｍｃｐｓ  ＴＤＤ  ＨＳＤＰＡサービスについての制御情報の通信に着目している。しかしながら、本発明がこの用途に限定されるものでなく、他の多くのセルラー通信システムに適用可能であるということが理解されるであろう。本実施例は、図１の実施例と両立するものであり、これを参照して説明される。
【０１０４】
本実施例では、ダウンリンクパケットデータサービスは、ＨＳＤＰＡにより、ＨＳ−ＤＳＣＨトランスポートチャネルを利用して提供される。システム内では、相当数のＨＳＤＰＡアクティブユーザは、会話クラストラフィックを有しない（すなわち、それらはいわゆるデータのみのユーザである）。従って、多数のＵＥがバースト的なトラフィックプロファイルを示す傾向がある。
【０１０５】
システムでは、アップリンクＤＰＣＨ（Ｄｅｄｉｃａｔｅｄ  Ｐｈｙｓｉｃａｌ  ＣＨａｎｎｅｌ）がＨＳＤＰＡ処理に関連付けされる。ダウンリンクＤＰＣＨは設定されない。アップリンクＤＰＣＨは、ノードＢ１０１から提供される情報によって制御される。特に、コードタイミング及び伝送パワーレベルは、ノードＢ１０１から伝送されるＴＰＣ（Ｔｒａｎｓｍｉｔ  Ｐｏｗｅｒ  Ｃｏｍｍａｎｄ）データ及びＳＳ（Ｓｙｎｃｈｒｏｎｉｓａｔｉｏｎ  Ｓｈｉｆｔ）コマンドにより制御される。
【０１０６】
本実施例では、ＴＰＣコマンドは、「パワーアップ（ｐｏｗｅｒ−ｕｐ）」又は「パワーダウン（ｐｏｗｅｒ−ｄｏｗｎ）」の何れかを表すバイナリである。ＳＳコマンドは、「アップ」、「ダウン」又は「ドゥ・ナッシング（ｄｏ  ｎｏｔｈｉｎｇ）」の何れかを表す３状態である。従って、本例では、ノードＢ１０１は、パワー制御及び同期の動的な要求に対する十分な大きさのレートにより６つのレベルの制御情報を通信する。
【０１０７】
一例となる実施例によると、各ＵＥのＴＰＣ及びＳＳビットは、タイムスロットの各チャネリゼイションコードを介しては伝送されない。その代わりに、ＴＤＤ最小伝送リソース単位が、セル内の複数のユーザ宛の情報を伝送するのに利用される。１つの最小伝送リソース単位（本ケースでは、１つのタイムスロットと１つのチャネリゼイションコード）が、ＴＰＣ及びＳＳビットを複数のＵＥに通信するのに利用される。
【０１０８】
従って、本実施例によると、ノードＢ１０１の合成プロセッサ１１１が、複数のＵＥに対して生成されたＴＰＣ及びＳＳデータビットを、１つのタイムスロットと１つのチャネリゼイションコードにより伝送可能な１つのデータブロックに合成するかもしれない。従って、１つのチャネリゼイションコードが複数のＵＥ間で共有され、これにより、ＴＰＣ及びＳＳデータを通信するのに使用されるチャネリゼイションコードの個数を低減し、他の使用のためのチャネリゼイションコードを解放することが可能となる。
【０１０９】
このような実施例では、以降においてＰＬＣＣＨ（Ｐｈｙｓｉｃａｌ  Ｌａｙｅｒ  Ｃｏｍｍｏｎ  Ｃｏｎｔｒｏｌ  Ｃｈａｎｎｅｌ）と呼ばれる新たな物理チャネルが、ＴＰＣ及びＳＳデータの効率的な通信のため実現可能である。ＰＬＣＣＨは、複数のＵＥに対するＴＰＣ及びＳＳデータビットを有する各伝送によって、１つのタイムスロットの１つのチャネリゼイションコードを介したメッセージの伝送によって実現可能である。ＰＬＣＣＨが各ＵＥの間で共有されているとき、リソース使用は、ＨＳＤＰＡサービスに対するＴＣＰ及びＳＳデータの通信のための従来のアプローチと比較して大きく低減される。
【０１１０】
いくつかの実施例では、ＰＬＣＣＨは、ＰＬＣＣＨメッセージの各ＵＥに対する１つのＴＰＣデータビットを２つのＳＳデータビットを含めることによって、合成されたデータブロックを生成する合成プロセッサ１１１により実現される。さらに、ＰＬＣＣＨメッセージは、符号化プロセッサ１１３がデータブロックの各データビットを適切な方法により符号化することによって、単に生成及び伝送されるかもしれない。
【０１１１】
しかしながら、他の実施例では、符号化プロセッサ１１３は、複数のＵＥに関するＴＰＣ及びＳＳ情報を結合して符号化するよう動作可能である。
【０１１２】
例えば、ＴＰＣ及びＳＳデータを１つのユーザに送信するため、６状態の値が通知されねばならない（ＴＰＣに対して２つの可能な値と、ＳＳデータに対して３つの可能な値）。現在の３ＧＰＰ仕様によりユーザ毎にこれを実現するのに３ビット（ＴＰＣに対して１ビットとＳＳに対して２ビット）を使用する代わりに、複数のＵＥに対するＴＰＣ及びＳＳデータが結合的に符号化されるかもしれない。
【０１１３】
例えば、１つのユーザに対するＴＰＣ及びＳＳデータが６つの可能な値を有する場合、５つのＵＥに対するＴＰＣ及びＳＳデータは、６５＝７，７７６の可能なデータ値を有することとなる。このため、５つのＵＥに対してＴＰＣ及びＳＳデータの情報を有する合成されたパラメータ値を生成することによって、７，７７６の状態値が符号化されねばならない。これは、１３ビット（２１３＝８，１９２）により実現可能である。他方、ＴＰＣ及びＳＳデータの各符号化は、５＊３＝１５データビットを必要とする。従って、伝送される必要があるデータビットの個数の低減が実現される。
【０１１４】
他の例として、従来技術では、ＴＰＣに対する１ビットとＳＳに対する２ビットを使用する１０のユーザは合計で１０＊３＝３０ビットを必要とし、これらが複数のＤＰＣＨに配布されるかもしれない（各ユーザに１つ）。しかしながら、ユーザ間のコマンドを共通のＰＬＣＣＨに結合的に符号化することによって、これは１０＊ｌｏｇｓ（６）＝２５．８５（２６に丸められる）ビットを用いて実現可能であり、１３％の節約となる。さらに、これが１つのＰＬＣＣＨメッセージを介し伝送可能であるため、リソース使用の大変大きな低減が実現される。
【０１１５】
効率性の向上がより多くのＴＰＣ及びＳＳデータを結合的に符号化するため可能であり、いくつかの実施例では、与えられたＰＬＣＣＨメッセージのすべてのＴＰＣ及びＳＳデータが結合的に符号化されるかもしれないということが理解されるであろう。
【０１１６】
これらの例では、ＴＰＣ及びＳＳ情報を復号するため、ＵＥは受信したワードをベース６の数に変換し、当該ユーザに割り当てられる桁位置を選択する。結果として得られる６状態の値は、バイナリＴＰＣコマンドと３状態ＳＳコマンドの双方に直接マップする。
【０１１７】
本実施例によると、当該情報を結合的に符号化する何れか適切な方法が利用可能であるということが理解されるであろう。例えば、複数のＵＥに対するＴＰＣ及びＳＳビットのブロックと、合成された状態を表す符号化されたＰＬＣＣＨシンボルとの間のシンプルな一対一のマッピングが実現されるかもしれない。このマッピングは、例えば、シンプルなルックアップテーブルにより実現されるかもしれない。ＵＥ１０３は単に、逆方向の一対一マッピングを実現し、この結果の適切なＴＰＣ及びＳＳデータビットを選択することによって、結合符号化を実行するようにしてもよい。
【０１１８】
図２において、結合符号化を利用した符号化プロセッサ１１３の一例が示される。図２の符号化プロセッサ１１３は、ノードＢコントローラ１０７からＴＣＰ及びＳＳデータビットを受信するＮ入力回路２０１を有する。各ＵＥに対するＴＣＰ及びＳＳデータビットは、状態変換装置２０３において、０から５までの範囲内の値に変換される。状態変換装置２０３の出力値は、加算器２０５に加算される。この和がその後、バイナリエンコーダ２０７によりバイナリＰＬＣＣＨワードに符号化される。その後、結果として得られるＰＬＣＣＨワードは、物理レイヤエンコーダ２０９に供給され、物理レイヤエンコーダ２０９は、伝送のためノードＢトランシーバ１０９に供給されるＰＬＣＣＨメッセージを生成する。
【０１１９】
本例では、物理レイヤエンコーダは、１／２レート又は１／３レート畳み込み符号か又は１／３レートターボ符号化を利用して、又は何れの符号化を利用することなく（標準的な３ＧＰＰによりリリースされた９９トランスポートチャネル処理について）、ＰＬＣＣＨを符号化するようにしてもよい。しかしながら、ブロックコード、繰り返しコード、連結された符号化スキームなどの何れかの汎用的な順方向誤り訂正エンティティが、代わりに利用可能であるということが理解されるべきである。
【０１２０】
いくつかの実施例では、符号化プロセッサ１１３は、複数のサービスによって用いられるアルゴリズムグループの処理アルゴリズムを利用することによって、ＰＬＣＣＨワードを符号化するよう動作可能である。
【０１２１】
具体的には、構成されると、従来の３ＧＰＰトランスポートチャネル処理は、ＰＬＣＣＨワードを物理チャネルにマップするのに利用可能である。このことは、符号化がレイヤ１トランスポートチャネル処理ツールボックスの完全なフレキシビリティを保持し、ＰＬＣＣＨが可変数のユーザ（情報ビットレートに影響を与える）及び各種システム配置及び設定に適応可能であることを意味する。
【０１２２】
また、ＰＬＣＣＨメッセージに対する符号化処理又は伝送パワーは、最小伝送リソース単位がＵＥ固有情報を有するＵＥの個数に応答して決定されるかもしれない。例えば、少数のユーザについては、低い順方向誤り訂正コードレートが利用可能であり（これは、より大きな冗長性を有し、より小さな伝送パワーしか要求しない、多数のユーザについては、漸進的なより高いコードレートが利用可能である（より小さな冗長性とより大きな伝送パワー要求を有する）。
【０１２３】
さらに、意図するユーザのすべてにデータを搬送するのに１つの物理チャネル伝送ユニットでは不十分である場合、さらなる物理チャネルが利用可能である。各物理チャネル宛のデータは、それぞれに対して独立にエンコーダにより処理されてもよいし、又は１つの符号化ユニットにより一緒に符号化され、エンコーダの出力においてのみ分離されるようにしてもよい。従って、ＰＬＣＣＨの構成は、ＰＬＣＣＨを用いたｎ＝１，．．．，ＮのＵＥについては図２のものと同様のものとなるであろう。本例では、複数の物理チャネル宛のデータは、１つのエンコーダを用いて符号化される。
【０１２４】
従って、共通のＴＰＣ／ＳＳ物理チャネル（ＰＬＣＣＨ）の使用は、多くの実施例において効果を提供するかもしれない。具体的には、与えられたＴＰＣ／ＳＳ更新レートについて、複数のＤＰＣＨ又は特別なバースト伝送と比較すると、全体的な伝送パワーリソースは低減される。さらに、ＴＰＣ及びＳＳ情報の複数のユーザへの伝送に利用されるコードリソースは、大きく低減される（多くのダウンリンクＤＰＣＨが、１つのＰＬＣＣＨに潜在的に置換される）。
【０１２５】
さらなる及び実質的な効果は、アップリンクパワー制御及び同期更新レートが所望の場合には維持され、特別なバースト又はマルチフレームＤＰＣＨを利用するとき（ｍフレーム毎に伝送される）、更新レートはそれに応じてより低くなる。（当業者に周知なように、上位レイヤのデータが物理チャネルにマップするのに利用可能でない通常の期間に、特別なバーストが「キープアライブ（ｋｅｅｐ−ａｌｉｖｅ）」信号として伝送される。特別なバーストの期間では、不連続な伝送（ＤＴＸ）が利用される。）
しかしながら、いくつかの実施例では、ノードＢが、断続的なＰＬＣＣＨメッセージにおいて所与のＵＥに対するＴＣＰ及びＳＳ情報を伝送するのに動作可能であるかもしれない。
【０１２６】
例えば、１．２８Ｍｃｐｓ  ＴＤＤのフレーム構成はサブフレーム毎（５ミリ秒）に繰り返され、いくつかの例では、ＰＬＣＣＨは、サブフレーム毎に伝送される必要はないかもしれない。これは、ＰＬＣＣＨをアクティブに使用するＵＥの個数が増減されるに従って、システムリソースのフレキシブルな利用を可能にする。しかしながらもちろん、ＴＰＣ及びＳＳ更新レートはまた、ＰＬＣＣＨが伝送される頻度の関数であるため、ある程度のトレードオフが存在する。
【０１２７】
さらに、所与のユーザに対する情報は、各ＰＬＣＣＨインスタンスに存在する必要はない。これは、システムがより低速なＴＰＣ及びＳＳ更新レートを犠牲にして、より多くのリソースを消費することなくより大きな負荷を処理することを可能にするであろう。その反対に、ＴＰＣ及びＳＳ更新レートを妥協することなく、より多くのリソースがより大きな負荷を処理するのに利用可能である。
【０１２８】
具体例として、１／２レート畳み込みコードが使用されると仮定すると、８８チャネルビットの最小伝送単位（ＳＦ１６の１コード、ＱＰＳＫ）は、３６情報ビットを伝送することができるであろう。ユーザ毎にｌｏｇ２（６）ビットにより、これは訳１４のユーザに対するＴＰＣ及びＳＳストリームを搬送することが可能となる。
【０１２９】
ＰＬＣＣＨが５ミリ秒のサブフレーム毎に１回伝送され、アップリンクＤＰＣＨに対するＴＰＣ及びＳＳ更新レートが（例えば）１０又は２０ミリ秒毎に１回である場合、１つのＰＬＣＣＨがセル内のすべてのアクティブなデータのみのＨＳＤＰＡユーザにサービス提供することが可能となる（１０ミリ秒の更新レートでは２８のユーザ、又は２０ミリ秒の更新レートでは５６のユーザ）。ここでは、本発明によって、合計で１３のＳＦ１６ダウンリンクチャネリゼイションコード（ダウンリンクＤＰＣＨのために以前に利用された）が、ＨＳ−ＤＳＣＨなどの他のチャネルによる利用のため解放される。これらのコードをより効率的に利用可能にすることによって、システムは、各セルにおいてより高いデータスループットを提供することができる。
【０１３０】
いくつかの実施例では、ノードＢ１０１は、複数のユーザ装置の伝送パワー要求に応答して、ＰＬＣＣＨに対する伝送パワーを設定する手段を有するかもしれない。具体的には、ノードＢコントローラ１０７は、ＰＬＣＣＨメッセージによりアドレス指定される各ＵＥに適したパワーレベルを計算するようにしてもよく、伝送パワーは、これが、ＰＬＣＣＨメッセージがすべてのＵＥにより受信可能となることを保証すべきであるため、これらの値のうち最も大きなものに設定されるようにしてもよい。
【０１３１】
一般に、ＰＬＣＣＨは、複数のＵＥにより受信される必要があり、このため、各ユーザに対して個別に伝送パワーを最小化することは現実的でない。このことはＴＰＣ及びＳＳシンボルに対するある程度のパワー効率性のロスをもたらす可能性があるが、ダウンリンクＤＰＣＨの冗長なデータペイロード部分（すなわち、非ＴＣＰ／ＳＳシンボル）（又は、いわゆる特別なバースト）がもはや伝送される必要がなくなるため、一般にはるかに大きなパワーの節約が可能となる。
【０１３２】
簡単化のため、例えば、４つのユーザがＤＰＣＨパワーＰ１、Ｐ２、Ｐ３及びＰ４を有し、これらがパワーＰ０＝ｍａｘ（Ｐ１，Ｐ２，Ｐ３，Ｐ４）の１つのチャネルと置換することが可能である場合、Ｐ０＜（Ｐ１＋Ｐ２＋Ｐ３＋Ｐ４）となる。
【０１３３】
いくつかの実施例では、ＰＬＣＣＨメッセージは、他の手段により実現されるアップリンクパワー制御による同期コマンドしか有しないかもしれない（例えば、オープンループパワー制御方法を利用して）。
【０１３４】
いくつかの実施例では、ＰＬＣＣＨは検証データを有していない。
【０１３５】
ＰＬＣＣＨメッセージは複数のユーザに対する情報を有しているため、すべてのデータが各ＵＥにより正確に受信されることは重要ではない。このため、ブロック又はフレームエラーレート（それぞれＢＬＥＲ又はＦＥＲ）は、ＴＰＣ又はＳＳエラーパフォーマンスを決定するのに特に関連しない。その代わりに、復号化後のビットエラーレート（ＢＥＲ）は、ＴＰＣ及びＳＳパフォーマンスに最も直接的な関連性を有する。このため、典型的には、循環冗長性チェック（ＣＲＣ）又は他のチェックサム技術によりデータブロックの完全性を保護する明示的な必要性はない。
【０１３６】
本発明は、ハードウェア、ソフトウェア、ファームウェア又はこれらの何れかの組み合わせを含む何れか適切な形式により実現可能である。しかしながら、好ましくは、本発明は、１以上のデータプロセッサ及び／又はデジタル信号プロセッサ上で実行されるコンピュータソフトウェアとして少なくとも部分的に実現される。本発明の実施例の要素及びコンポーネントは、物理的、機能的及び論理的に何れか適切な方法により実現されてもよい。実際、この機能は、１つのユニット、複数のユニット又は他の機能ユニットの一部として実現されるかもしれない。また、本発明は、１つのユニットにより実現されてもよく、又は各ユニット及びプロセッサの間に物理的かつ機能的に分散されてもよい。
【０１３７】
本発明が好適な実施例に関して説明されたが、それは、ここに記載されるような具体的な形式に限定されるものではない。本発明の範囲は、添付した請求項によってのみ限定されるものである。請求項において、「有する」という用語は、他の要素又はステップの存在を排除するものではない。さらに、個別に列挙されるが、複数の手段、要素又は方法ステップは、１つのユニット又はプロセッサなどによって実現されてもよい。さらに、各特徴が異なる請求項に含まれうるが、これらはおそらく効果的に組み合わせすることが可能であり、異なる請求項に含めることは、特徴の組み合わせが実現可能でなく、及び／又は効果的でないことを意味するものではない。さらに、単数形の表現は、複数を排除するものでない。従って、「ある」、「第１の」、「第２の」などの表現は、複数を排除するものではない。
【図１】
0005387733.tif 000002
【図２】
0005387733.tif 000003